【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
バ−ナ部と、このバ−ナ部によって加熱される温水熱交換器と、該温水熱交換器にて熱交換される循環液を貯留するシスタ−ンタンクと、該シスタ−ンタンク内の循環液の水位を検知する水位検知手段と、前記シスタ−ンタンク内の循環液を循環させる循環ポンプと、前記水位検知手段が検知した水位により給水報知を行う制御部とを備えた床暖房用熱交換器内蔵型暖房機に於いて、前記循環ポンプから送り出される循環液の温度を検知する湯温サーミスタと、計時を開始してから所定時間経過する毎に計時信号を出力するタイマーと、前記計時信号が出力された時の前記湯温サーミスタの検知温度を積算する積算部と、前記積算部の積算値と予め定めた所定値とを比較して、積算値が所定値以上になった時、積算完了信号を出力する比較部とを備え、前記制御部は、温水暖房運転中に前記水位検知手段がシスタ−ンタンク内の循環液の水位が予め定めた下限より低くなったとき前記タイマーを動作させ、前記比較部が積算完了信号を出力した時、給水報知を行うことを特徴とする床暖房用熱交換器内蔵型暖房機。
【請求項２】
バ−ナ部と、このバ−ナ部によって加熱される温水熱交換器と、該温水熱交換器にて熱交換される循環液を貯留するシスタ−ンタンクと、該シスタ−ンタンク内の循環液の水位を検知する水位検知手段と、前記シスタ−ンタンク内の循環液を循環させる循環ポンプと、前記水位検知手段が検知した水位により満水報知を行う制御部とを備えた床暖房用熱交換器内蔵型暖房機に於いて、前記循環ポンプから送り出される循環液の温度を検知する湯温サーミスタと、計時を開始してから所定時間経過する毎に計時信号を出力するタイマーと、前記計時信号が出力された時の前記湯温サーミスタの検知温度を積算する積算部と、前記積算部の積算値と予め定めた所定値とを比較して、積算値が所定値以上になった時、積算完了信号を出力する比較部とを備え、前記制御部は前記水位検知手段がシスタ−ンタンク内の循環液の水位が予め定めた上限より高くなったとき満水報知を行うと共に該満水報知後満水報知を禁止し、満水報知禁止後、温水暖房運転中に前記水位検知手段がシスタ−ンタンク内の循環液の水位が前記上限より低くなったとき前記タイマーを動作させ、前記比較部が積算完了信号を出力した時、満水報知の禁止を解除することを特徴とする床暖房用熱交換器内蔵型暖房機。
【請求項３】
バ−ナ部と、このバ−ナ部によって加熱される温水熱交換器と、該温水熱交換器にて熱交換される循環液を貯留するシスタ−ンタンクと、該シスタ−ンタンク内の循環液の水位を検知する水位検知手段と、前記シスタ−ンタンク内の循環液を循環させる循環ポンプと、前記水位検知手段が検知した水位により給水報知又は満水報知を行う制御部とを備えた床暖房用熱交換器内蔵型暖房機に於いて、前記循環ポンプから送り出される循環液の温度を検知する湯温サーミスタと、計時を開始してから所定時間経過する毎に計時信号を出力するタイマーと、前記計時信号が出力された時の前記湯温サーミスタの検知温度を積算する積算部と、前記積算部の積算値と予め定めた所定値とを比較して、積算値が所定値以上になった時、積算完了信号を出力する比較部とを備え、前記制御部は、温水暖房運転中に前記水位検知手段がシスタ−ンタンク内の循環液の水位が予め定めた下限より低くなったとき前記タイマーを動作させ、前記比較部が積算完了信号を出力した時、給水報知を行うと共に、前記水位検知手段がシスタ−ンタンク内の循環液の水位が予め定めた上限より高くなったとき満水報知を行うと共に、該満水報知後満水報知を禁止し、該満水報知禁止後、温水暖房運転中に前記水位検知手段がシスタ−ンタンク内の循環液の水位が前記上限より低くなったとき前記タイマーを動作させ、前記比較部が積算完了信号を出力した時、満水報知の禁止を解除することを特徴とする床暖房用熱交換器内蔵型暖房機。
【手続補正２】
【補正対象書類名】明細書
【補正対象項目名】００１０
【補正方法】変更
【補正の内容】
【００１０】
上記課題を解決するために、本発明の請求項１では、バ−ナ部と、このバ−ナ部によって加熱される温水熱交換器と、該温水熱交換器にて熱交換される循環液を貯留するシスタ−ンタンクと、該シスタ−ンタンク内の循環液の水位を検知する水位検知手段と、前記シスタ−ンタンク内の循環液を循環させる循環ポンプと、前記水位検知手段が検知した水位により給水報知を行う制御部とを備えた床暖房用熱交換器内蔵型暖房機に於いて、前記循環ポンプから送り出される循環液の温度を検知する湯温サーミスタと、計時を開始してから所定時間経過する毎に計時信号を出力するタイマーと、前記計時信号が出力された時の前記湯温サーミスタの検知温度を積算する積算部と、前記積算部の積算値と予め定めた所定値とを比較して、積算値が所定値以上になった時、積算完了信号を出力する比較部とを備え、前記制御部は、温水暖房運転中に前記水位検知手段がシスタ−ンタンク内の循環液の水位が予め定めた下限より低くなったとき前記タイマーを動作させ、前記比較部が積算完了信号を出力した時、給水報知を行うものである。
【手続補正３】
【補正対象書類名】明細書
【補正対象項目名】００１１
【補正方法】変更
【補正の内容】
【００１１】
また、請求項２では、バ−ナ部と、このバ−ナ部によって加熱される温水熱交換器と、該温水熱交換器にて熱交換される循環液を貯留するシスタ−ンタンクと、該シスタ−ンタンク内の循環液の水位を検知する水位検知手段と、前記シスタ−ンタンク内の循環液を循環させる循環ポンプと、前記水位検知手段が検知した水位により満水報知を行う制御部とを備えた床暖房用熱交換器内蔵型暖房機に於いて、前記循環ポンプから送り出される循環液の温度を検知する湯温サーミスタと、計時を開始してから所定時間経過する毎に計時信号を出力するタイマーと、前記計時信号が出力された時の前記湯温サーミスタの検知温度を積算する積算部と、前記積算部の積算値と予め定めた所定値とを比較して、積算値が所定値以上になった時、積算完了信号を出力する比較部とを備え、前記制御部は前記水位検知手段がシスタ−ンタンク内の循環液の水位が予め定めた上限より高くなったとき満水報知を行うと共に該満水報知後満水報知を禁止し、満水報知禁止後、温水暖房運転中に前記水位検知手段がシスタ−ンタンク内の循環液の水位が前記上限より低くなったとき前記タイマーを動作させ、前記比較部が積算完了信号を出力した時、満水報知の禁止を解除するものである。
【手続補正４】
【補正対象書類名】明細書
【補正対象項目名】００１２
【補正方法】変更
【補正の内容】
【００１２】
また、請求項３では、バ−ナ部と、このバ−ナ部によって加熱される温水熱交換器と、該温水熱交換器にて熱交換される循環液を貯留するシスタ−ンタンクと、該シスタ−ンタンク内の循環液の水位を検知する水位検知手段と、前記シスタ−ンタンク内の循環液を循環させる循環ポンプと、前記水位検知手段が検知した水位により給水報知又は満水報知を行う制御部とを備えた床暖房用熱交換器内蔵型暖房機に於いて、前記循環ポンプから送り出される循環液の温度を検知する湯温サーミスタと、計時を開始してから所定時間経過する毎に計時信号を出力するタイマーと、前記計時信号が出力された時の前記湯温サーミスタの検知温度を積算する積算部と、前記積算部の積算値と予め定めた所定値とを比較して、積算値が所定値以上になった時、積算完了信号を出力する比較部とを備え、前記制御部は、温水暖房運転中に前記水位検知手段がシスタ−ンタンク内の循環液の水位が予め定めた下限より低くなったとき前記タイマーを動作させ、前記比較部が積算完了信号を出力した時、給水報知を行うと共に、前記水位検知手段がシスタ−ンタンク内の循環液の水位が予め定めた上限より高くなったとき満水報知を行うと共に、該満水報知後満水報知を禁止し、該満水報知禁止後、温水暖房運転中に前記水位検知手段がシスタ−ンタンク内の循環液の水位が前記上限より低くなったとき前記タイマーを動作させ、前記比較部が積算完了信号を出力した時、満水報知の禁止を解除するものである。
【手続補正５】
【補正対象書類名】明細書
【補正対象項目名】００１３
【補正方法】変更
【補正の内容】
【００１３】
この発明の請求項１によれば、温水暖房運転中にシスタ−ンタンク内の循環液の水位が下限より低くなったときタイマーを動作させ、前記比較部が積算完了信号を出力した時、給水報知を行うので、温水暖房運転の運転中及び停止状態によるシスターンタンク内の循環液の水位の変動による給水報知の誤検知を防止し、誤検知をしない水位になった状態で給水報知することができるものである。
【手続補正６】
【補正対象書類名】明細書
【補正対象項目名】００１４
【補正方法】変更
【補正の内容】
【００１４】
又、請求項２によれば、シスタ−ンタンク内の循環液の水位が上限より高くなったとき満水報知を行うと共に該満水報知後満水報知を禁止し、満水報知禁止後、温水暖房運転中にシスタ−ンタンク内の循環液の水位が上限より低くなったときタイマーを動作させ、前記比較部が積算完了信号を出力した時、満水報知の禁止を解除するので、温水暖房運転の運転中及び停止状態によるシスターンタンク内の循環液の水位の変動による満水報知の誤検知を防止し、誤検知をしない水位になった状態で満水報知することができるものである。
【手続補正７】
【補正対象書類名】明細書
【補正対象項目名】００１５
【補正方法】変更
【補正の内容】
【００１５】
又、請求項３によれば、温水暖房運転中にシスタ−ンタンク内の循環液の水位が下限より低くなったときタイマーを動作させ、前記比較部が積算完了信号を出力した時、給水報知を行うと共に、シスタ−ンタンク内の循環液の水位が上限より高くなったとき満水報知を行い、該満水報知後満水報知を禁止し、該満水報知禁止後、温水暖房運転中にシスタ−ンタンク内の循環液の水位が上限より低くなったときタイマーを動作させ、前記比較部が積算完了信号を出力した時、満水報知の禁止を解除するので、給水報知を行う場合、温水暖房運転の運転中及び停止状態によるシスターンタンク内の循環液の水位の変動による給水報知の誤検知を防止し、誤検知をしない水位になった状態で給水報知することができるものである。
【手続補正８】
【補正対象書類名】明細書
【補正対象項目名】００１６
【補正方法】変更
【補正の内容】
【００１６】
又、満水報知を行う場合、温水暖房運転の運転中及び停止状態によるシスターンタンク内の循環液の水位の変動による満水報知の誤検知を防止し、誤検知をしない水位になった状態で満水報知することができるものである。